(57)【要約】      （修正有）【課題】神棚を設置するための場所が無い住宅であっても御札を祀ることができる御札用簡易神棚を提供する。【解決手段】神社に参拝する際に頂いた御札２と御札を収納するため袋状に折り込まれて形成された本体３とからなり、本体３に御札２を収納した構成とし、本体３の前面部に、本体３に収納された御札２が見えるように両開きの扉５を設け、本体３の上部に、袋状に折り込まれて形成された本体３の後面部上端を前方に折り曲げて屋根７を設け、本体３の後面部に、御札２が収納された本体３を、壁や柱に取り付けるための掛け孔及び両面テープを設け、御札２が収納された本体３を、家具の上に立て掛けて祀るための台座を設ける。【選択図】図１
0003132949.tif 000002
【実用新案登録請求の範囲】
【請求項１】
神社に参拝する際に頂いた御札と御札を収納するため袋状に折り込まれて形成された本体とからなり、前記本体に前記御札を収納した構成としたことを特徴とする御札用簡易神棚。
【請求項２】
前記本体の前面部に、本体に収納された御札が見えるように両開きの扉を設けたことを特徴とする請求項１に記載の御札用簡易神棚。
【請求項３】
前記本体の上部に、袋状に折り込まれて形成された本体の後面部上端を前方に折り曲げて屋根を設けたことを特徴とする請求項１又は請求項２に記載の御札用簡易神棚。
【請求項４】
前記本体の後面部に、御札が収納された本体を、壁や柱に取り付けたフックに掛けて祀るための掛け孔を設けたことを特徴とする請求項１から３のいずれか１つに記載の御札用簡易神棚。
【請求項５】
前記本体の後面部に、御札が収納された本体を、壁や柱に貼って祀るための両面テープを設けたことを特徴とする請求項１から４のいずれか１つに記載の御札用簡易神棚。
【請求項６】
前記御札が収納された本体を、家具の上に立て掛けて祀るための台座に設置した構成としたことを特徴とする請求項１から５のいずれか１つに記載の御札用簡易神棚。
【請求項７】
前記本体は、厚手シートの紙製材料によって製作されたことを特徴とする請求項１から６のいずれか１つに記載の御札用簡易神棚。
【考案の詳細な説明】
【技術分野】
【０００１】
本考案は、初詣や記念行事等で神社に参拝する際に頂いた御札を持ち帰りその御札を家に祀るための御札用簡易神棚に関するものである。
【背景技術】
【０００２】
従来から、初詣や記念行事で神社に参拝する際に頂いた護符（御札）を持ち帰りその御札を家に祀る場合、棚や家具の上に載置された木製の神棚におまつりするのが一般的である。
【考案の開示】
【考案が解決しようとする課題】
【０００３】
しかしながら、近年の住宅事情から大きな神棚を設置するための場所が無い住宅が増えている。従って、せっかく御札を持ち帰っても御札を祀る神棚が無いので、御札そのものを、タンスやサイドボード等の家具の上に立て掛けたり、壁に接着剤等で貼着して止めていた（例えば特許文献１）。
【０００４】
【特許文献１】特開平１０−１２７４７２号公報
【０００５】
本考案は、神棚を設置するための場所が無い住宅であっても御札を祀ることができる御札用簡易神棚を提供することを目的とする。
【課題を解決するための手段】
【０００６】
上記目的を達成するため、請求項１の御札用簡易神棚は、神社に参拝する際に頂いた御札と御札を収納するため袋状に折り込まれて形成された本体とからなり、本体に御札を収納した構成としたことを特徴とするものである。
【０００７】
また、請求項２の御札用簡易神棚は、請求項１に記載の御札用簡易神棚であって、本体の前面部に、本体に収納された御札が見えるように両開きの扉を設けたことを特徴とするものである。
【０００８】
また、請求項３の御札用簡易神棚は、請求項１又は請求項２に記載の御札用簡易神棚であって、本体の上部に、袋状に折り込まれて形成された本体の後面部上端を前方に折り曲げて屋根を設けたことを特徴とするものである。
【０００９】
また、請求項４の御札用簡易神棚は、請求項１から３のいずれか１つに記載の御札用簡易神棚であって、本体の後面部に、御札が収納された本体を、壁や柱に取り付けたフックに掛けて祀るための掛け孔を設けたことを特徴とするものである。
【００１０】
また、請求項５の御札用簡易神棚は、請求項１から４のいずれか１つに記載の御札用簡易神棚であって、本体の後面部に、御札が収納された本体を、壁や柱に貼って祀るための両面テープを設けたことを特徴とするものである。
【００１１】
また、請求項６の御札用簡易神棚は、請求項１から５のいずれか１つに記載の御札用簡易神棚であって、御札が収納された本体を、家具の上に立て掛けて祀るための台座に設置した構成としたことを特徴とするものである。
【００１２】
また、請求項７の御札用簡易神棚は、請求項１から６のいずれか１つに記載の御札用簡易神棚であって、本体は、厚手シートの紙製材料によって製作されたことを特徴とするものである。
【考案の効果】
【００１３】
請求項１記載の御札用簡易神棚によれば、神社に参拝する際に頂いた御札と御札を収納するため袋状に折り込まれて形成された本体とからなり、本体に御札を収納した構成としたので、神棚を設置するための場所が無い住宅であっても御札を祀ることができる御札用簡易神棚を提供することができる。
【００１４】
また、請求項２記載の御札用簡易神棚によれば、本体の前面部に、本体に収納された御札が見えるように両開きの扉を設けたので、木製の神棚のように本物らしく見せかけた御札用簡易神棚を提供することができる。
【００１５】
また、請求項３記載の御札用簡易神棚によれば、本体の上部に、袋状に折り込まれて形成された本体の後面部上端を前方に折り曲げて屋根を設けたので、木製の神棚のように本物らしく見せかけるとともに壁や柱に掛けて祀るためのフックを隠すことができる。
【００１６】
また、請求項４記載の御札用簡易神棚によれば、本体の後面部に、御札が収納された本体を、壁や柱に取り付けたフックに掛けて祀るための掛け孔を設けたので、マンションや洋間のように神棚を設置するためのスペースがない場所でも設置することができる。
【００１７】
また、請求項５記載の御札用簡易神棚によれば、本体の後面部に、御札が収納された本体を、壁や柱に貼って祀るための両面テープを設けたので、マンションや洋間のように神棚を設置するためのスペースがない場所でも設置することができる。
【００１８】
また、請求項６記載の御札用簡易神棚によれば、御札が収納された本体を、家具の上に立て掛けて祀るための台座に設置した構成としたので、マンションや洋間のように神棚を設置するためのスペースがない場所でも設置することができる。
【００１９】
また、請求項７記載の御札用簡易神棚によれば、本体は、厚手シートの紙製材料によって製作されたので、木製の神棚に比べ簡単に製作でき、コストも安い御札用簡易神棚を提供することができる。
【考案を実施するための最良の形態】
【００２０】
以下に、本考案の具体的な実施の形態を、添付図面に示した本考案の実施例に基づいて説明する。
【実施例】
【００２１】
図１は本考案による御札用簡易神棚を正面から見た状態を示す斜視図、図２は図１の御札用簡易神棚を背面から見た状態を示す斜視図、図３は本考案による御札用簡易神棚と台座を組み合わせた状態を示す斜視図、図４は本考案による御札用簡易神棚の本体を形成する組み立て前の展開状態を示す説明図、図５は図４の展開図に示した本体を袋状に折り込まれて形成された状態を示す説明図である。
【００２２】
図１〜２に示すように、１は御札用簡易神棚で、神社に参拝する際に頂いた御札２と御札２を収納するため袋状に折り込まれて形成された本体３とからなり、本体３に御札２を収納して構成される。
【００２３】
本体３の前面部４には、本体３に収納された御札２が見えるように両開きの扉５が設けられている。本体３の上部には、袋状に折り込まれて形成された本体３の後面部６の上端を前方に折り曲げて屋根７が設けられている。
【００２４】
本体３の後面部６には、御札２が収納された本体３を、壁や柱に取り付けたフックに掛けて祀るための掛け孔８が設けられている。また、本体３の後面部６には、御札２が収納された本体３を、壁や柱に貼って祀るための両面テープ９ａ、９ｂが設けられている。
【００２５】
本体３は、厚手シートの紙製材料によって製作され、図４に示すような展開状態から図５に示すように袋状に折り込まれて形成される。
【００２６】
図４及び図５により、本体３が袋状に形成される過程を詳述するに、本体３は前面部４と後面部６に展開され、前面部４は袋状に形成したときに糊しろとなる糊しろ片１０、１１が延設され、後面部６の上端は本体３の屋根７となる屋根片１２が延設される。前面部４と後面部６は点線で示したラインＬ１で山折りされ、更に糊しろ片１０、１１を山折りし、糊しろ片１０、１１を後面部６に接着して、図５に示すように、開口部１３を有する袋状に折り込まれて形成される。
【００２７】
後面部６の上端に延設された屋根片１２は一点鎖線で示したラインＬ２で谷折りされ、更に点線で示したラインＬ３で山折りされ、谷折りと山折りで重なった部分１４を接着する。更に一点鎖線で示したラインＬ４で谷折り、点線で示したラインＬ５で山折りし、山折りして形成された先端部１８を開口部１３に差込み、屋根片１２を前方に折り曲げて屋根７が設けられる。
【００２８】
なお、ラインＬ４及びラインＬ５の折り曲げる位置は、図５に示すように、ｄ１＞ｄ２となる位置で折り曲げるのが望ましい。そのようにすることで、前方に折り曲げたとき、屋根７に勾配を持たせて屋根らしく見せることができる。
【００２９】
前面部４には実線で示した上下のラインＬ６、Ｌ７と、ラインＬ６、Ｌ７の両端及び中央を縦に結んだラインＬ８、Ｌ９、Ｌ１０のうち実線で示した真ん中のラインＬ１０とを切断し、一点鎖線で示した残りのラインＬ８、Ｌ９を谷折りすることで両開きの扉５が設けられる。
【００３０】
なお、前面部４の四隅には隅金具１９を示す印刷が施され、扉５には閂２０を表わす印刷が施されている。
【００３１】
以上説明したように、本考案の御札用簡易神棚によれば、神社に参拝する際に頂いた御札２を神棚を設置するための場所が無い家に持ち帰っても、以下の方法によって御札を祀ることができる。
【００３２】
１つめの方法は、図１、図２に示すように、本体３の後面部６に掛け孔８を設け、その掛け孔８を壁や柱に取り付けたフックに掛ける方法である。フック及び掛け孔８は屋根７により隠すことができ、正面から見てもみっともないことはない。
【００３３】
また、２つめの方法は、図２に示すように、フックを取り付けられない壁や柱には、本体３の後面部６に設けられた両面テープ９ａ、９ｂにより壁や柱に貼る方法である。このようにフックと掛け孔８或いは両面テープ９ａ、９ｂを用いれば、御札を直接壁に接着剤等で貼着して止めることなく設置することができる。
【００３４】
なお、両面テープ９ａを設ける位置は、掛け孔８の上側とするのが望ましい。そのようにすることで、掛け孔８にフックを掛けたとき、掛け孔８が破れないように補強の役目を果たすことができる。
【００３５】
また、３つめの方法は、図３に示すように、御札２が収納された本体３を、家具の上に立て掛けて祀るために、台座２１に設置する方法である。このように構成すればマンションや洋間のように神棚を設置するためのスペースがない場所でもタンスやサイドボード等の家具の上に台座２１を置いて設置することができる。
【００３６】
以上の説明で明らかにしたように、本考案による御札用簡易神棚によれば、マンションや洋間のように神棚を設置するためのスペースがない住宅であっても、袋状に折り込まれて形成された本体に御札を収納して御札用簡易神棚を構成したので、御札そのものを、タンスやサイドボード等の家具の上に立て掛けたり、壁に接着剤等で貼着して止めることなく御札を祀ることができる。
【００３７】
また、本体は、厚手シートの紙製材料によって製作されたので、木製の神棚に比べ簡単に製作でき、コストも安くすることが出来るが、両開きの扉と屋根を設けたことにより木製の神棚のように本物らしく見せかけることができるという実用上の優れた効果が得られる。
【図面の簡単な説明】
【００３８】
【図１】本考案による御札用簡易神棚を正面から見た状態を示す斜視図である。
【図２】図１の御札用簡易神棚を背面から見た状態を示す斜視図である。
【図３】本考案による御札用簡易神棚と台座を組み合わせた状態を示す斜視図である。
【図４】本考案による御札用簡易神棚の本体を形成する組み立て前の展開状態を示す説明図である。
【図５】図４の展開図に示した本体を袋状に形成した状態を示す説明図である。
【符号の説明】
【００３９】
１    御札用簡易神棚
２    御札
３    本体
４    前面部
５    扉
６    後面部
７    屋根
８    掛け孔
９ａ、９ｂ    両面テープ
２１  台座
【図１】
0003132949.tif 000003
【図２】
0003132949.tif 000004
【図３】
0003132949.tif 000005
【図４】
0003132949.tif 000006
【図５】
0003132949.tif 000007
【手続補正書】
【提出日】平成19年4月23日(2007.4.23)
【手続補正１】
【補正対象書類名】図面
【補正対象項目名】図１
【補正方法】変更
【補正の内容】
【図１】
0003132949.tif 000008
【手続補正２】
【補正対象書類名】図面
【補正対象項目名】図３
【補正方法】変更
【補正の内容】
【図３】
0003132949.tif 000009